(57)【要約】      （修正有）【課題】フレネルソーンレンズを保護できて、フレネルソーンレンズ全体の構造強度が強化され、また、作製が簡単でコストが低く、大量生産できるリブ構造付きのフレネルソーンレンズを提供する。【解決手段】複数の第１方向の両側に沿って下へ湾曲する第１方向のリブと、複数の第２方向の両側に沿って下へ湾曲する各第２方向のリブとが互いに交差して、網状外観を形成するリブ構造である。互いに隣接する二つの該第１方向のリブと、それらの二つの第１方向のリブと交差する、互いに隣接する二つの該第２方向のリブとにより囲まれた領域において、該フレネルソーンレンズが連続状態になり、また、互いに隣接する、互いに対角に位置する第１の交差部と第２の交差部、第３の交差部及び第４の交差部上に位置し、上記の二つの第１方向のリブの側部が、上記の二つの第２方向のリブの側部に交差する。【選択図】図２
2009122400.tif 000002
【特許請求の範囲】
【請求項１】
第１方向の両側に沿って下方へ湾曲する複数の第１方向のリブと、
第２方向の両側に沿って下方へ湾曲し、各第１方向のリブと互いに交差して、ある領域を囲む複数の第２方向のリブと、
上方に、第１方向のリブと第２方向のリブが設置され、互いに交差して隣接するフレネルソーンレンズとが含有されることを特徴とする、リブ構造付きのフレネルソーンレンズ。
【請求項２】
各第１方向のリブと各第２方向のリブが、互いに交差して隣接することにより形成され、それぞれ対角に位置する第１の交差部と第２の交差部、第３の交差部及び第４の交差部があることを特徴とする、請求項１に記載のリブ構造付きのフレネルソーンレンズ。
【請求項３】
該第１の交差部上において、二つの該第１方向のリブの側部が、二つの該第２方向のリブの側部と交差することを特徴とする、請求項２に記載のリブ構造付きのフレネルソーンレンズ。
【請求項４】
該第２の交差部上において、二つの該第１方向のリブの側部が、二つの該第２方向のリブの側部と交差することを特徴とする、請求項２に記載のリブ構造付きのフレネルソーンレンズ。
【請求項５】
該第３の交差部上において、二つの該第１方向のリブの側部が、二つの該第２方向のリブの側部と交差することを特徴とする、請求項２に記載のリブ構造付きのフレネルソーンレンズ。
【請求項６】
該第４の交差部上において、二つの該第１方向のリブの側部が、二つの該第２方向のリブの側部と交差することを特徴とする、請求項２に記載のリブ構造付きのフレネルソーンレンズ。
【請求項７】
各第１方向のリブと各第２方向のリブとが、一体成型で、互いに交差して連結されることを特徴とする請求項１に記載のリブ構造付きのフレネルソーンレンズ。
【請求項８】
各第１方向のリブと各第２方向のリブが互いに交差して形成され、隣接する領域において、該フレネルソーンレンズが連続の状態になることを特徴とする、請求項１に記載のリブ構造付きのフレネルソーンレンズ。
【発明の詳細な説明】
【技術分野】
【０００１】
本発明は、リブ構造付きのフレネルソーンレンズに関し、特に、網状外観を有するリブ構造で、該フレネルソーンレンズを保護でき、また、該フレネルソーンレンズの全体構造の強度を強化でき、フレネルソーンレンズレンズの周りにおいて、滑らかな面を粗面にすることにより、フレームと接合する時、より緊密になり、脱落し難い。
【背景技術】
【０００２】
太陽光エネルギー発電システム技術の向上と市場要求の元で、集光型太陽光エネルギー発電システムの集光モジュールの種類は、一般として、屈折式や反射式及び屈折と反射を混合した混合式の３種類に分けられ、屈折式光学集光モジュールと言えば、フレネルソーンレンズは、集光型太陽光エネルギー発電システムに幅広く適用された光学集光素子になる。
【０００３】
しかしながら、一般のフレネルソーンレンズは、シートレンズであって、薄くて軽いため、製造や使用する時、その平面度を確保し難く、少しだけ変形すれば、その光線が焦点ずれになって、集光効率が悪くなり、また、現状では、該フレネルソーンレンズの直径を大きくすることができないため、適用範囲が制限され、また、該フレネルソーンレンズを利用する設備の安定性が低下されて、消費者の製品に対する信頼度が低くなり、従って、如何に、該フレネルソーンレンズ全体の構造強度を強化するのは、市場により強く要求される。そのため、一般の従来のものは実用的ではなく、改善しなければならない。
【発明の開示】
【発明が解決しようとする課題】
【０００４】
本発明の主な目的は、第１方向の両側に沿って下へ湾曲される各第１方向のリブと第２方向の両側に沿って下へ湾曲される各第２方向のリブとが、互いに交差することにより、網状の外観を有するリブ構造が形成されて、該フレネルソーンレンズを保護し、また、該フレネルソーンレンズ全体の構造強度を強化し、同時に、該フレネルソーンレンズ上のリブが、一体成型で、作製が簡単でコストが低く、大量生産が容易である等の利点が得られるリブ構造付きのフレネルソーンレンズを提供する。
【課題を解決するための手段】
【０００５】
本発明は、上記の目的を達成するため、少なくとも、複数の第１方向の両側に沿って下へ湾曲する各第１方向のリブと、複数の第２方向の両側に沿って下へ湾曲する各第２方向のリブとが互いに交差して、網状外観を有するリブ構造であるリブ構造付きのフレネルソーンレンズである。互いに隣接する二つの第１方向のリブと、それらの二つの第１方向のリブと交差する、互いに隣接する二つの第２方向のリブとにより囲まれる領域において、該フレネルソーンレンズが連続する状態で、互いに隣接し、それぞれ対角に位置する第１の交差部と第２の交差部、第３の交差部及び第４の交差部上に位置し、上記の二つの第１方向のリブの側部が、上記の二つの第２方向のリブの側部と交差する。これにより新規のリブ構造付きのフレネルソーンレンズが構成される。
【発明を実施するための最良の形態】
【０００６】
図１は、本発明の平面構造概念図である。図のように、本発明はリブ構造付きのフレネルソーンレンズであり、少なくとも、複数の第１方向のリブ１１と複数の第２方向のリブ１２及びフレネルソーンレンズ（Fresnel Zone Lens）１があり、これにより、該フレネルソーンレンズ１を保護し、同時に該フレネルソーンレンズ１全体の構造強度が強化される。
【０００７】
該フレネルソーンレンズ１は、第１方向の両側に沿って下へ湾曲する各第１方向のリブ１１と、第２方向の両側に沿って下へ湾曲する各第２方向のリブ１２とが、互いに交差して、網状外観が形成されるリブ構造のフレネルソーンレンズ１である。
【０００８】
互いに隣接する二つの第１方向のリブ１１と、それらの二つの第１方向のリブ１１と交差して、互いに隣接する二つの第２方向のリブ１２とにより、囲まれた領域１３において、該フレネルソーンレンズ１が、連続状態で互いに隣接し、また、互いに対角に位置する第１の交差部と第２の交差部、第３の交差部及び第４の交差部上に位置し、上記の二つの第１方向のリブの側部が、上記の二つの第２方向のリブの側部と交差し、該フレネルソーンレンズ１の周りは、該第１方向のリブ１１と第２方向のリブ１２とが、互いに隣接して形成される。これにより、新規のリブ構造付きのフレネルソーンレンズが構成される。
【０００９】
図２は、本発明の立体構造概念図である。図のように、本発明に係わるフレネルソーンレンズ１は、第１方向に沿う第１方向のリブ１１と、第２方向に沿う第２方向のリブ１２とから構成され、各リブの幅がほぼ同じである。各リブはその両側に沿って下へ湾曲し、例えば、各第１方向のリブ１１a、１１b…１１nは、それぞれ側部１１１、１１２があり、また、各第２方向のリブ１２a、１２b…１２nは、それぞれ側部１２１、１２２がある。互いに隣接する上記の二つの該第１方向のリブ１１a、１１b、と互いに隣接する上記の二つの該第２方向のリブ１２a、１２bが、交差部１４a〜１４dに位置する。また、互いに隣接して互いに対角に位置する第１の交差部１４aと第２の交差部１４b、第３の交差部１４c及び第４の交差部１４dは、その第１方向のリブ１１a、１１bの各側部１１１、１１２が、第２方向のリブ１２a、１２bの各側部１２１、１２２と交差する。互いに隣接する第１方向のリブ１１a、１１bと第２方向のリブ１２a、１２bが実質的に直交し、それらの四つのリブにより囲まれた領域１３において、フレネルソーンレンズ１が連続的である。
【００１０】
以上のように、本発明はリブ構造付きのフレネルソーンレンズであり、有効に従来の諸欠点を改善でき、第１方向の両側に沿って下へ湾曲した各第１方向のリブと、第２方向の両側に沿って下へ湾曲した各第２方向のリブとが互いに交差して網状外観を形成するリブ構造により、該フレネルソーンレンズを保護でき、また、該フレネルソーンレンズ全体の構造強度を強化でき、同時に、該フレネルソーンレンズ上のリブが、一体成型であるため、作製が簡単で、コストが低く大量生産できる等の利点が得られ、そのため、本発明はより進歩的かつより実用的で、法に従って特許請求を出願する。
【００１１】
以上は、ただ、本発明のより良い実施例であり、本発明はそれによって制限されることが無く、本発明に係わる特許請求の範囲や明細書の内容に基づいて行った等価の変更や修正は、全てが本発明の特許請求の範囲内に含まれる。
【図面の簡単な説明】
【００１２】
【図１】本発明の平面構造概念図
【図２】本発明の立体構造概念図
【符号の説明】
【００１３】
１          フレネルソーンレンズ
１１        第１方向のリブ
１１ａ      第１方向のリブ
１１ｂ      第１方向のリブ
１１ｎ      第１方向のリブ
１１１      側部
１１２      側部
１２        第２方向のリブ
１２ａ      第２方向のリブ
１２ｂ      第２方向のリブ
１２ｎ      第２方向のリブ
１２１      側部
１２２      側部
１３        領域
１４ａ      第１の交差部
１４ｂ      第２の交差部
１４ｃ      第３の交差部
１４ｄ      第４の交差部
【図１】
2009122400.tif 000003
【図２】
2009122400.tif 000004